(57)【要約】【課題】時刻を精確に表示する。【解決手段】マイクロカプセルの湿度又は温度を検出した検出値を出力するセンサー１５０を含む電気泳動表示パネル１００と、駆動パルス１１３，１１４を発生するドライバーＩＣ２００と、検出値Ｔ毎に駆動パルス１１３，１１４の出力方法を定義した駆動パルステーブル３１１を記憶するメモリー３１０と、センサー１５０から所定の時間間隔で検出値Ｔを取得する検出値取得手段３４１と、検出値Ｔに基づき駆動パルステーブル３１１から出力方法Ｄを取得する出力方法取得手段３４３と、検出値Ｔの変化値を算出する変化値算出手段３４２と、第１のタイミングに変化値が所定の値未満の場合は部分駆動を行い、第１のタイミングに変化値が所定の値以上の場合は全面駆動を行い、第２のタイミングに全面駆動を行う駆動制御手段３４４と、を実行する制御部３３０と、を含む電気泳動表示装置１。【選択図】図１
2010224095.tif 000002
【特許請求の範囲】
【請求項１】
画素に対応する複数のセグメント電極が主面上に形成された第１の基板と、
前記第１の基板の主面上に塗布され、樹脂材料の殻内に正に帯電した複数の荷電粒子及
び負に帯電した複数の荷電粒子を含むマイクロカプセルを含有するインク層と、
前記インク層に接する位置に透明電極が形成された透明な第２の基板と、
前記インク層が塗布された前記第１の基板に隣接し、前記インク層に含有されているマ
イクロカプセルの湿度又は温度を検出した検出値を出力するセンサーと、
を含む電気泳動表示パネルと、
前記電気泳動表示パネルを駆動する駆動パルスを発生するドライバーＩＣと、
前記検出値毎に前記電気泳動表示パネルを描画するのに必要な前記駆動パルスの出力方
法を定義した駆動パルステーブルを記憶するメモリーと、
前記センサーから所定の時間間隔で前記検出値を取得する検出値取得手段と、
現在検出した前記検出値と前回検出した前記検出値との変化値を算出する変化値算出手
段と、
前記検出値に基づき前記駆動パルステーブルから前記出力方法を取得する出力方法取得
手段と、
第１のタイミングに前記変化値が所定の値未満の場合は前記電気泳動表示パネルの所定
の領域を前記出力方法で書き換える部分駆動を行い、前記第１のタイミングに前記変化値
が所定の値以上の場合は前記電気泳動表示パネルの全領域を前記出力方法で書き換える全
面駆動を行い、第２のタイミングに前記全面駆動を行う駆動制御手段と、
を実行する制御部と、
を含む、
ことを特徴とする電気泳動表示装置。
【請求項２】
請求項１に記載の電気泳動表示装置において、
前記電気泳動表示パネルには現在の時刻の時及び分が表示され、
前記所定の領域は前記分の１桁目の数字の表示領域であり、
前記第１のタイミングは、前記現在の時刻の分の１桁目が１〜９に換わるタイミングで
あり、
前記第２のタイミングは、前記現在の時刻の分の１桁目が０に換わるタイミングである
、
ことを特徴とする電気泳動表示装置。
【請求項３】
請求項１または２に記載の電気泳動表示装置を備えることを特徴とする電子機器。
【発明の詳細な説明】
【技術分野】
【０００１】
本発明は、時刻などの情報を表示する電気泳動表示装置及び電子機器に関する。
【背景技術】
【０００２】
近年、新しいディスプレイ方式の電子表示パネルとして、電気泳動表示装置である電子
ペーパーの開発が盛んである。電子ペーパーとは、多数の帯電微粒子を含むマイクロカプ
セルといわれる直径５０μｍ程度の透明樹脂カプセルが基板上に塗布されたフィルム状の
電子表示パネルである。電子ペーパーは、ドライバーＩＣ等と組み合わされて電子表示装
置を構成し、広告表示板等の様々な用途に用いられる。
【０００３】
電子ペーパーに用いられているマイクロカプセルは、図７（Ａ）に示すように、透明樹
脂製のカプセル殻の中に、正に帯電した酸化チタン等の白色粒子と、負に帯電したカーボ
ンブラック等の黒色粒子とをほぼ同数含んでおり、さらに、マイクロカプセルの内部は、
油のような透明な液体で充填されている。
【０００４】
一般に、電子ペーパーは、図７（Ｂ）に示すように、基板上において、マイクロカプセ
ルを含有する電子インクが塗布されたインク層の上下が２つの電極層で挟まれた構造を有
している。インク層の上側に位置する上部電極層は、透明な共通電極となっており、イン
ク層の下側に位置する下部電極層は、液晶表示パネルの画素電極のように、一定の単位で
セグメント化されている。また、下部電極の形状が、例えば、アイコン、又は、数値表示
に用いられる７セグメントのような特定の形状として形成されている場合もある。
【０００５】
上部電極層と所望の下部電極層との間に電圧を供給すると、それらに挟まれたマイクロ
カプセル内の帯電微粒子に電界が印加される。例えば、ある下部電極層に正の電圧を印加
した場合に、その上部に位置するマイクロカプセルの内部においては、下部電極層に近い
部分に、負に帯電した黒色粒子が集まり、上部電極層に近い部分に、正に帯電した白色粒
子が集まる。その結果、電子ペーパーの上面側に白色が表示される。
【０００６】
一方、下部電極層に負の電圧を印加した場合には、その逆となって、電子ペーパーの上
面側に黒色が表示されることになる。このように、電子ペーパーは、マイクロカプセル内
部の帯電微粒子に電界が印加されることによって引き起こされる電気泳動現象を利用して
、２種類の帯電微粒子を電子ペーパーの上面側と下面側に吸着させて文字や絵柄を表示す
る。
【０００７】
電子ペーパーにおいては、表示内容の書き換えを行わない限り、電界を除去した後も、
１ヶ月以上の長期間において表示内容が保持される。そのため、電子ペーパーは、従来の
液晶パネル等の表示デバイスと比べて、極めて消費電力が小さくてすむという特徴を有し
ている。さらに、電子ペーパーは、表示コントラストが高いという特徴を有するため、視
覚的に非常に見やすい。従って、周囲の明るさに影響を受けることが少なく、液晶ディス
プレイのようにバックライトを設ける必要がない。また、画面を表示する際の電気的駆動
方式は、液晶パネルで一般的に行われているような常時時分割駆動ではなく、１回の静的
駆動であるため、画面のちらつきが少なく視覚的な負担が極めて小さい。その他にも、視
野角が広いことや、薄くて軽量であることや、可撓性があること等の利点により、電子ペ
ーパーは、時計や店頭表示板等の様々な用途に用いられている。
【０００８】
上記のように、電子ペーパーは、従来の表示用デバイスよりも優れた利点を多数有して
いるが、表示切換え時の画質においては、液晶等の表示用デバイスに劣る場合があり、改
善が望まれている。一般に、電子ペーパーにおいては、表示内容の書き込みや消去を行う
際に、周囲の環境に応じて適切な電圧の駆動信号を適切な時間だけ印加する必要がある。
しかしながら、駆動信号の電圧又は印加時間が十分でなかった場合には、色むらや文字欠
けが生じて表示画質が劣化する。
【０００９】
表示画質の劣化を生じさせる環境要因としては、様々な要因が考えられているが、例え
ば、マイクロカプセルの周囲における含有水分率（湿度）と温度とによって最適駆動条件
が変化することが大きな要因として挙げられる。これは、湿度や温度によって、マイクロ
カプセル内の帯電微粒子の移動し易さが変化するためと考えられ、梅雨季や冬季には画質
が劣化する傾向が見られる。一方、１年を通じて余裕を持った駆動条件でマイクロカプセ
ルを駆動するようにした場合には、消費電力に大きな無駄を生じてしまう。
【００１０】
この問題を解決するために、例えば特許文献１には、電子表示パネルにマイクロカプセ
ルの湿度または温度を検出するためのセンサーを搭載し、検出された湿度または温度に基
づいて駆動信号を設定する方法が記載されている。
【００１１】
ところで、電気泳動表示装置の他の応用例として、デジタル時計の表示部に電気泳動表
示装置を使うことができる。デジタル時計は、時刻の変化を精確に時：分の文字を切り換
えて表示する必要がある。
【先行技術文献】
【特許文献】
【００１２】
【特許文献１】特開２００８−３１２４号公報（図３）
【発明の概要】
【発明が解決しようとする課題】
【００１３】
しかしながら、従来の方法では、電子表示パネルに時刻を表示させている時に急激な温
度変化があった場合、時刻の変化のタイミングに合せて時：分の文字を切り換えて表示さ
せることができないという課題がある。
【課題を解決するための手段】
【００１４】
本発明は、上述の課題の少なくとも一部を解決するためになされたものであり、以下の
形態または適用例として実現することが可能である。
【００１５】
［適用例１］
画素に対応する複数のセグメント電極が主面上に形成された第１の基板と、前記第１の
基板の主面上に塗布され、樹脂材料の殻内に正に帯電した複数の荷電粒子及び負に帯電し
た複数の荷電粒子を含むマイクロカプセルを含有するインク層と、前記インク層に接する
位置に透明電極が形成された透明な第２の基板と、前記インク層が塗布された前記第１の
基板に隣接し、前記インク層に含有されているマイクロカプセルの湿度又は温度を検出し
た検出値を出力するセンサーと、を含む電気泳動表示パネルと、前記電気泳動表示パネル
を駆動する駆動パルスを発生するドライバーＩＣと、前記検出値毎に前記電気泳動表示パ
ネルを描画するのに必要な前記駆動パルスの出力方法を定義した駆動パルステーブルを記
憶するメモリーと、前記センサーから所定の時間間隔で前記検出値を取得する検出値取得
手段と、現在検出した前記検出値と前回検出した前記検出値との変化値を算出する変化値
算出手段と、前記検出値に基づき前記駆動パルステーブルから前記出力方法を取得する出
力方法取得手段と、第１のタイミングに前記変化値が所定の値未満の場合は前記電気泳動
表示パネルの所定の領域を前記出力方法で書き換える部分駆動を行い、前記第１のタイミ
ングに前記変化値が所定の値以上の場合は前記電気泳動表示パネルの全領域を前記出力方
法で書き換える全面駆動を行い、第２のタイミングに前記全面駆動を行う駆動制御手段と
、を実行する制御部と、を含む、ことを特徴とする電気泳動表示装置。
【００１６】
この構成によれば、急激な温度変化には見栄えを優先して駆動パルスを変更し、緩やか
な温度変化には緩やかに駆動パルスを変更し、表示保証温度範囲においてコントラストを
一定水準に保ち、かつ低消費電力化を両立させることができる。
【００１７】
［適用例２］
上記に記載の電気泳動表示装置において、前記電気泳動表示パネルには現在の時刻の時
及び分が表示され、前記所定の領域は前記分の１桁目の数字の表示領域であり、前記第１
のタイミングは、前記現在の時刻の分の１桁目が１〜９に換わるタイミングであり、前記
第２のタイミングは、前記現在の時刻の分の１桁目が０に換わるタイミングである、こと
を特徴とする電気泳動表示装置。
【００１８】
この構成によれば、電気泳動表示パネルに時刻を表示させている時に急激な温度変化が
あった場合、時刻の変化のタイミングに合せて時：分の文字を切り換えて表示させること
ができる。
【００１９】
［適用例３］
上記に記載の電気泳動表示装置を備えることを特徴とする電子機器。
【００２０】
この構成によれば、急激な温度変化には見栄えを優先して駆動パルスを変更し、緩やか
な温度変化には緩やかに駆動パルスを変更し、表示保証温度範囲においてコントラストを
一定水準に保ち、かつ低消費電力化を両立させることができる。
【図面の簡単な説明】
【００２１】
【図１】第１実施形態に係る電気泳動表示装置の構成を示すブロック図。
【図２】電気泳動表示パネルとドライバーＩＣの構成を示す概略図。
【図３】電気泳動表示パネルの断面図。
【図４】駆動パルステーブルの構成を示すテーブル。
【図５】電気泳動表示装置の動作を示すフローチャート。
【図６】（Ａ）部分駆動の動作を説明する遷移図、（Ｂ）全面駆動の動作を説明する遷移図。
【図７】（Ａ）電子ペーパーに用いられているマイクロカプセルを示す図、（Ｂ）電子ペーパーの断面図。
【図８】電気泳動表示装置を備える電子機器を例示する斜視図。
【発明を実施するための形態】
【００２２】
以下、電気泳動表示装置の実施形態について図面に従って説明する。
【００２３】
（第１実施形態）
＜電気泳動表示装置の構成＞
先ず、第１実施形態に係る電気泳動表示装置の構成について、図１を参照して説明する
。図１は、第１実施形態に係る電気泳動表示装置の構成を示すブロック図である。
【００２４】
図１に示すように、電気泳動表示装置１は、センサー１５０を含む電気泳動表示パネル
１００と、内部バス３００に接続されたドライバーＩＣ２００と、メモリー（ＥＥＰＲＯ
Ｍ：Electrically Erasable and Programmable Read Only Memory）３１０と、操作部３
２０と、制御部（ＣＰＵ：Central Processing Unit）３３０と、ＲＯＭ３４０と、から
構成されている。
【００２５】
電気泳動表示パネル１００には、現在の時刻の時及び分が例えば「１０：０７」のよう
に表示される。ＥＥＰＲＯＭ３１０には、駆動パルステーブル３１１が記憶されている。
ＲＯＭ３４０には、検出値取得手段３４１と、変化値算出手段３４２と、出力方法取得手
段３４３と、駆動制御手段３４４と、を含む制御プログラム３４５が記憶され、ＣＰＵ３
３０により読み出され、実行される。
【００２６】
次に、電気泳動表示パネル１００とドライバーＩＣ２００の構成について、図２を参照
して説明する。図２は、電気泳動表示パネルとドライバーＩＣの構成を示す概略図である
。
【００２７】
図２においては、下部電極の接続関係を示すために、マイクロカプセルや上部電極等は
省略されている。図２に示すように、電気泳動表示パネル１００には、画素に対応する複
数の下部電極（セグメント電極）１１１と、複数のスイッチング素子１１２とが配置され
ている。スイッチング素子１１２としては、例えば、軽量で、かつ、柔軟性に優れている
薄膜トランジスターが用いられる。薄膜トランジスターのドレインは下部電極１１１に接
続され、ソースはソースライン１１３に接続され、ゲートはゲートライン１１４に接続さ
れている。
【００２８】
また、ドライバーＩＣ２００には、それぞれのソースライン１１３に接続された複数の
ソースドライバー２４１と、それぞれのゲートライン１１４に接続された複数のゲートド
ライバー２４２とが含まれている。スイッチング素子１１２は、ゲートドライバー２４２
からゲートライン１１４を介して制御電圧が供給されてオン又はオフのスイッチング動作
を行い、オン状態のときに、ソースドライバー２４１からソースライン１１３を介して供
給される駆動信号を下部電極１１１に供給する。
【００２９】
さらに、本実施形態においては、図２に示すように、電気泳動表示パネル１００の一隅
に、少なくとも１つのセンサー１５０が組み込まれている。センサー１５０は、サイズが
５ミリメートル角以下の湿度センサー又は温度センサーであって、センサー１５０に隣接
するインク層に含有されているマイクロカプセルの含有水分率（湿度）又は温度を検出す
るためのものである。
【００３０】
図３は、図２に示す電気泳動表示パネルの断面図である。本実施形態においては、第１
の基板である下部基板１２１として、２００μｍ程度の厚さを有するフレキシブル基板が
用いられる。あるいは、下部基板１２１として、ガラス基板又はガラスエポキシ基板が用
いられても良い。下部基板１２１としてガラス基板又はガラスエポキシ基板が用いられた
場合の厚さは、５００μｍ程度とするのが適切である。
【００３１】
図３に示すように、下部基板１２１上に、複数の下部電極１１１が形成されている。下
部電極１１１上には、マイクロカプセル１２２を含有する電子インクが塗布されていて、
フィルム状のインク層１２３を形成している。インク層１２３の上部には、上部電極１２
４がインク層に接するように第２の基板である上部基板１２５が配置されている。上部電
極１２４としては、例えば、ＩＴＯ（Indium Tin Oxide：酸化インジウムスズ）で形成さ
れた透明な薄膜が用いられ、上部基板１２５としては、例えば、ＰＥＴ（ポリエチレンテ
レフタレート）で形成された透明な基板が用いられる。
【００３２】
ここで、マイクロカプセル１２２について説明する。マイクロカプセル１２２は、樹脂
材料のカプセル殻の内部に、正に帯電した酸化チタン等の白色微粒子１２６と、負に帯電
したカーボンブラック等の黒色微粒子１２７とを含んでいる直径５０μｍ程度のカプセル
である。マイクロカプセル１２２は、本来は球状であるが、弾力性を有しているので、下
部電極１１１と上部電極１２４との間に挟まれると、図３に示すように球形が歪んで複数
のマイクロカプセル１２２間の空隙が減少する。
【００３３】
さらに、下部電極１１１が形成された下部基板１２１と、マイクロカプセル１２２を含
有するインク層１２３と、上部電極１２４が形成された上部基板１２５とによる積層構造
は、透明な防湿シート１２８によって覆われており、一時的には湿気等から保護されてい
る。同様に、センサー１５０も、防湿シート１２８によって覆われている。防湿シート１
２８は、防湿シートの端部１２８ａが挟み込まれることによって固定される。
【００３４】
下部基板１２１上には、既に説明したように、ソースライン１１３及びゲートライン１
１４がパターン形成されており、それらは、スルーホール１２９を通して延長基板１２１
ａに接続され、さらに、ドライバーＩＣ２００（図２参照）に内蔵されているソースドラ
イバー２４１及びゲートドライバー２４２にそれぞれ接続されている。ドライバーＩＣ２
００は、ソースライン１１３及びゲートライン１１４を介して、電気泳動表示パネル１０
０を駆動する。
【００３５】
また、インク層１２３に含有されているマイクロカプセル１２２の含有水分率（湿度）
又は温度を検出するセンサー１５０が、インク層１２３が塗布された下部基板１２１に隣
接して配置されている。センサー１５０は、下部基板１２１に形成された配線パターンに
リード線を介して接続され、さらに、延長基板１２１ａに形成された配線パターンを介し
て、ドライバーＩＣ２００に接続される。
【００３６】
本実施形態においては、下部基板１２１が２００μｍ程度の厚さを有し、下部電極１１
１が３０μｍ程度の厚さを有し、インク層１２３が５０μｍ程度の厚さを有し、上部電極
１２４及び上部基板１２５が２００μｍ程度の厚さを有している。一方、センサー１５０
は２００μｍ程度の高さを有しているので、下部基板１２１の一部をカットしてセンサー
１５０を配置するためのスペースを確保することにより、センサー１５０の上面がインク
層１２３の上面よりも飛び出ないようにしている。これにより、電気泳動表示パネル１０
０の上面（上部基板１２５）の平面性を確保することができる。
【００３７】
インク層１２３に含有されているマイクロカプセル１２２の含有水分率（湿度）を検出
する場合には、センサー１５０として、例えば、セラミック基板上に２つの櫛形の金属電
極がかみ合うように蒸着され、これらの金属電極間の静電容量に基づいて湿度が求められ
る湿度センサーが用いられる。また、インク層１２３に含有されているマイクロカプセル
１２２の温度を検出する場合には、センサー１５０として、例えば、セラミック基板上に
白金の薄膜抵抗が蒸着され、この薄膜抵抗の２つの端子間の抵抗値に基づいて温度が求め
られる温度センサーが用いられる。さらに、静電容量又は抵抗値を測定して検出信号を生
成するための測定回路や、検出信号をＡ／Ｄ変換するためのＡ／Ｄコンバーターをセンサ
ー１５０に内蔵しても良い。
【００３８】
次に、駆動パルステーブルの構成について、図４を参照して説明する。図４は、駆動パ
ルステーブルの構成を示すテーブルである。図４に示す駆動パルステーブル３１１は、セ
ンサー１５０から取得した温度Ｔ（℃）と、駆動パルスＰの出力方法として駆動パルスＰ
の印加時間Ｄ（ｍｓ）を定義している。例えば、温度Ｔ＝−１０℃の場合は印加時間Ｄ＝
１９６００ｍｓ、温度Ｔ＝−５℃の場合は印加時間Ｄ＝８０００ｍｓ、などである。
【００３９】
次に、電気泳動表示装置の動作について、図５を参照して説明する。図５は、電気泳動
表示装置の動作を示すフローチャートである。
【００４０】
先ず、ステップＳ１００では、現在検出した検出値である温度値ＴＢと前回検出した温
度値ＴＡとの変化値ＴＣを求めるために、温度値ＴＡ＝０に初期化する。
【００４１】
次に、ステップＳ１０２は、検出値取得手段３４１が所定の時間間隔でセンサー１５０
が検出した温度Ｔを取得し、温度Ｔを温度値ＴＢとして記憶する。所定の時間間隔は、例
えば１分間隔などに設定されている。
【００４２】
次に、ステップＳ１０４では、変化値算出手段３４２が温度値ＴＡと温度値ＴＢとの差
の絶対値を算出し、変化値ＴＣとして記憶する。
【００４３】
次に、ステップＳ１０６では、出力方法取得手段３４３が温度値ＴＢに対応する印加時
間Ｄを駆動パルステーブル３１１から取得する。
【００４４】
次に、ステップＳ１０８では、次に表示する時刻の分の１桁目が０か否かを判定し、０
の場合はステップＳ１１０に移行し、０でない場合はステップＳ１１２に移行する。
【００４５】
次に、ステップＳ１１０では、電気泳動表示パネル１００の全領域を印加時間Ｄで書き
換える全面駆動を行い、ステップＳ１１６に移行する。
【００４６】
一方、ステップＳ１１２では、変化値ＴＣが所定の値Ａ以上か否かを判定し、所定の値
Ａ以上の場合はステップＳ１１０に移行し、所定の値Ａ未満の場合はステップＳ１１４に
移行する。所定の値Ａは、例えば、２０（℃）などに設定される。
【００４７】
次に、ステップＳ１１４では、電気泳動表示パネル１００の所定の領域を印加時間Ｄで
書き換える部分駆動を行い、ステップＳ１１６に移行する。所定の領域は、図１に示す分
の１桁目（例えば、数字の７）を描画するのに必要な領域である。
【００４８】
なお、ステップＳ１０８，Ｓ１１０，Ｓ１１２，Ｓ１１４は、駆動制御手段３４４を構
成している。
【００４９】
次に、ステップＳ１１６では、温度値ＴＡを温度値ＴＢで書き換え、ステップＳ１０２
に移行する。
【００５０】
次に、部分駆動と全面駆動の動作について、図６を参照して説明する。図６（Ａ）は、
部分駆動の動作を説明する遷移図であり、図６（Ｂ）は、全面駆動の動作を説明する遷移
図である。なお、本第１実施形態では、駆動パルスＰは、黒を白に書き換えるための電位
（例えば０Ｖ）と、白を黒に書き換えるための電位（例えば１５Ｖ）と、で構成されてい
る。駆動パルスＰの他の駆動方法として、０Ｖ、＋１５Ｖ、−１５Ｖの３電位で電気泳動
表示パネル１００の表示を構成する場合もあるが、２電位は３電位よりマイナス側の昇圧
回路を無くすことができ、かつ昇圧による電力ロスが低減でき、電気泳動表示パネル１０
０を含め、回路を簡略できるメリットがある。
【００５１】
部分駆動は、現在の時刻の分の１桁目が１〜９に換わる第１のタイミングに行われる。
図６（Ａ）に示すように、例えば、時刻が１０：０７から１０：０８の中間の時点で検出
値取得手段３４１がセンサー１５０から温度値ＴＢを取得し、出力方法取得手段３４３が
温度値ＴＢに対応する印加時間Ｄを駆動パルステーブル３１１から取得する。ＣＰＵ３３
０は、１０：０８：００の時点から印加時間Ｄを減算した時点（１０：０８：００−Ｄ）
から１０：０８：００の時点までの期間に内部バス３００を介してドライバーＩＣ２００
に分の１桁目の「７」が描画されている領域を黒から白にするための駆動パルスＰを出力
する。次に、ＣＰＵ３３０は、１０：０８：００の時点から印加時間Ｄを加算した時点（
１０：０８：００＋Ｄ）までの期間に内部バス３００を介してドライバーＩＣ２００に分
の１桁目の「８」を表示するための駆動パルスＰを出力する。
【００５２】
このように部分駆動を行うことにより、温度変化の影響を受けずに１０：０８：００の
時点の前後で分の１桁目が「７」から「８」にスムーズに切り換えることができるので、
精確な時刻の変化を伝えることができる。なお、図６（Ａ）では電気泳動表示パネル１０
０の文字以外の背景が白である場合について説明したが、背景が黒で文字が白の場合は、
上記説明の黒と白が入れ換わる。
【００５３】
全面駆動は、変化値算出手段３４２が算出した変化値ＴＣが所定の値Ａ以上の場合、ま
たは、現在の時刻の分の１桁目が０に換わる第２のタイミングに行われる。図６（Ｂ）に
示すように、ＣＰＵ３３０は、例えば、時刻が１０：１０：００の時点から印加時間Ｄを
加算した時点（１０：１０：００＋Ｄ）までの期間に、内部バス３００を介してドライバ
ーＩＣ２００に電気泳動表示パネル１００の全領域に「１０：００」の白と黒が反転した
反転画像６０１を描画するための駆動パルスＰを出力する。さらに、ＣＰＵ３３０は、印
加時間Ｄを加算した時点（１０：１０：００＋Ｄ）からさらに印加時間Ｄを加算した時点
（１０：１０：００＋２Ｄ）までの期間に、内部バス３００を介してドライバーＩＣ２０
０に電気泳動表示パネル１００の全領域に「１０：００」の白と黒が正転した正転画像６
０２を描画するための駆動パルスＰを出力する。
【００５４】
このように全面駆動を行うことにより、温度変化の影響を受けずに１０：１０：００の
時点から「１０：１０」の反転画像６０１と正転画像６０２とを順次表示することにより
、精確な時刻の変化を伝えることができ、電気泳動表示パネル１００の全領域のコントラ
ストを保つことができる。なお、図６（Ｂ）では正転画像６０２が通常の表示状態である
場合について説明したが、逆に、反転画像６０１が通常の表示状態である場合は、上記説
明の正転画像６０２と反転画像６０１とを入れ換えた動作が行われる。
【００５５】
以上に述べた本実施形態によれば、以下の効果が得られる。
【００５６】
本実施形態では、急激な温度変化には見栄えを優先して駆動パルスを変更し、緩やかな
温度変化には緩やかに駆動パルスを変更し、表示保証温度範囲においてコントラストを一
定水準に保ち、かつ低消費電力化を両立させることができる。
【００５７】
以上、電気泳動表示装置の実施形態を説明したが、こうした実施の形態に何ら限定され
るものではなく、趣旨を逸脱しない範囲内において様々な形態で実施し得ることができる
。以下、変形例を挙げて説明する。
【００５８】
（変形例１）電気泳動表示装置の変形例１について説明する。図８は、電気泳動表示装
置を備える電子機器を例示する斜視図である。
【００５９】
図８（Ａ）は、電子機器の一例である電子ブックを示す斜視図である。この電子ブック
１０００は、ブック形状のフレーム１００１と、このフレーム１００１に対して回動自在
に設けられた（開閉可能な）カバー１００２と、操作部１００３と、電気泳動表示装置１
によって構成された表示部１００４と、を備えている。
【００６０】
図８（Ｂ）は、電子機器の一例である腕時計を示す斜視図である。この腕時計１１００
は、電気泳動表示装置１によって構成された表示部１１０１を備えている。
【００６１】
図８（Ｃ）は、電子機器の一例である電子ペーパーを示す斜視図である。この電子ペー
パー１２００は、紙と同様の質感および柔軟性を有するリライタブルシートで構成される
本体部１２０１と、電気泳動表示装置１によって構成された表示部１２０２と、を備えて
いる。
【００６２】
（変形例２）電気泳動表示装置の変形例２について説明する。第１実施形態では、図３
に示すように、センサー１５０を防湿シート１２８の内側に配置するように説明したが、
防湿シート１２８の外側に配置してもよい。
【符号の説明】
【００６３】
１…電気泳動表示装置、１００…電気泳動表示パネル、１１１…下部電極、１１２…ス
イッチング素子、１１３…ソースライン、１１４…ゲートライン、１２１…下部基板、１
２１ａ…延長基板、１２２…マイクロカプセル、１２３…インク層、１２４…上部電極、
１２５…上部基板、１２６…白色微粒子、１２７…黒色微粒子、１２８…防湿シート、１
２８ａ…端部、１２９…スルーホール、１５０…センサー、２００…ドライバーＩＣ、２
４１…ソースドライバー、２４２…ゲートドライバー、３００…内部バス、３１０…メモ
リー、３１１…駆動パルステーブル、３２０…操作部、３３０…ＣＰＵ、３４０…ＲＯＭ
、３４１…検出値取得手段、３４２…変化値算出手段、３４３…出力方法取得手段、３４
４…駆動制御手段、３４５…制御プログラム、６０１…反転画像、６０２…正転画像、１
０００…電子ブック、１００１…フレーム、１００２…カバー、１００３…操作部、１０
０４…表示部、１１００…腕時計、１１０１…表示部、１２００…電子ペーパー、１２０
１…本体部、１２０２…表示部。
【図１】
2010224095.tif 000003
【図２】
2010224095.tif 000004
【図３】
2010224095.tif 000005
【図４】
2010224095.tif 000006
【図５】
2010224095.tif 000007
【図６】
2010224095.tif 000008
【図７】
2010224095.tif 000009
【図８】
2010224095.tif 000010